【手続補正書】
【提出日】平成18年8月7日(2006.8.7)
【手続補正１】
【補正対象書類名】明細書
【補正対象項目名】特許請求の範囲
【補正方法】変更
【補正の内容】
【特許請求の範囲】
【請求項１】  光ファイバジャイロの縞数を決定するための方法であって、前記光ファイバジャイロは、干渉計に光ビームを給送する光源を含み、２つの光ビームは対向する方向に伝搬し、前記干渉計はその出力を検出器に給送し、前記検出器の出力信号は、前記縞数および複数の制御可能なパラメータの関数であり、前記方法は、
（ａ）  前記制御可能パラメータの値を決定するステップと、
（ｂ）  縞可視度効果および前記制御可能パラメータの値を利用して前記検出器の出力信号から前記縞数を抽出するステップとを含み、前記検出器の出力信号は、前記縞可視度効果のない場合、（１＋ｃｏｓθ）に比例し、θは前記２つの光ビームの位相の差であり、前記縞可視度効果は、θ２乗におけるべき級数によって乗算される式（１＋ｃｏｓθ）の中のｃｏｓθ項によって表される、方法。
【請求項２】  前記ステップ（ａ）が、
前記検出器の出力信号を複数の復調信号に変換するステップと、
前記制御可能パラメータの値を決定するステップとを含み、前記パラメータに関して前記複数の復調信号の各々が予め定められた値を有する、請求項１に記載の方法。
【請求項３】  前記ステップ（ｂ）が、
前記検出器の出力信号を復調信号に変換するステップと、
前記制御可能パラメータの値に関する前記復調信号の測定値を決定するステップとを含む、請求項１に記載の方法。
【請求項４】  前記ステップ（ｂ）が、
前記検出器の出力信号を復調信号に変換するステップと、
前記制御可能パラメータの値を用いて、複数の試験的縞数の各々に関する、前記復調信号の数学的表現の計算値を決定するステップとを含む、請求項１に記載の方法。
【請求項５】  前記ステップ（ｂ）が、
前記検出器の出力信号を復調信号に変換するステップと、
前記制御可能パラメータの値に関する前記復調信号の測定値を決定するステップと、
前記制御可能パラメータの値を用いて、複数の試験的縞数の各々に関する、前記復調信号の数学的表現の計算値を決定するステップとを含む、請求項１に記載の方法。
【請求項６】  前記ステップ（ｂ）が、
前記復調信号の測定値と前記復調信号の数学的表現の計算値とを比較することにより前記縞数を決定するステップを含む、請求項５に記載の方法。
【請求項７】  前記検出器の出力信号Ｆnkjが、ｎ、ｋおよびｊの関数であり、前記縞数はｎで示され、前記インデックスｋは−１、０および＋１の値をとり、前記インデックスｊは−１および＋１の値をとり、インデックス対（ｋ，ｊ）は、前記光ファイバジャイロが動作する状態を示し、前記光ファイバジャイロの動作のゾーンは、複数の状態（ｋ，ｊ）と関連し、Ｆnkjもまた、３つの制御可能なパラメータε、δおよびｌの関数であり、前記ステップ（ａ）は、
前記動作のゾーンを決定するステップと、
各復調信号ＤＭＯＤｐ＝ΣＰkjＣpkjＦnkjを、予め定められた値Ａpに等しくするステップとを含み、ｐは１、２および３の値をとり、Ｐkjは状態（ｋ，ｊ）の発生確率であり、Ｃpkjは数字の係数であり、和は、前記光ファイバジャイロが動作するゾーンに関連した状態に対するものであり、前記ステップ（ａ）はさらに
Ｆnkjに関する測定値を利用して、１、２および３に等しいｐを求めるよう等式ΣＰkjＣpkjＦnkj＝Ａpを解くことにより、ε、δおよびｌの値を得るステップを含む、請求項１に記載の方法。
【請求項８】  前記検出器の出力信号Ｆnkjがｎ、ｋおよびｊの関数であり、前記縞数はｎで表わされ、前記インデックスｋは−１、０および＋１の値をとり、前記インデックスｊは−１および＋１の値をとり、インデックス対（ｋ，ｊ）は前記光ファイバジャイロが動作する状態を示し、前記光ファイバジャイロの動作のゾーンは複数の状態（ｋ，ｊ）に関連し、Ｆnkjもまた、３つの制御可能なパラメータε、δおよびｌの関数であり、前記ステップ（ｂ）は、
前記動作のゾーンを決定するステップと、
Ｆnkjに関する測定値を利用して復調信号ＤＭＯＤ４＝ΣＰkjＣ4kjＦnkjの測定値を得るステップとを含み、Ｐkjは状態（ｋ，ｊ）の発生確率であり、Ｃ4kjは数字の係数である、請求項１に記載の方法。
【請求項９】  前記検出器の出力信号Ｆnkjがｎ、ｋおよびｊの関数であり、前記縞数はｎで示され、前記インデックスｋは−１、０および＋１の値をとり、前記インデックスｊは−１および＋１の値をとり、インデックス対（ｋ，ｊ）は、前記光ファイバジャイロが動作する状態を示し、前記光ファイバジャイロの動作のゾーンは複数の状態（ｋ，ｊ）に関連し、Ｆnkjもまた、３つの制御可能なパラメータε、δおよびｌの関数であり、前記ステップ（ｂ）は、
前記動作のゾーンを決定するステップと、
Ｆnkjに関する計算値を利用してｎの試験的な複数の値の各々について、復調信号ＤＭＯＤ４＝ΣＰkjＣ4kjＦnkjに関する計算値を得るステップとを含み、Ｐkjは状態（ｋ，ｊ）の発生確率であり、Ｃ4kjは数字の係数である、請求項１に記載の方法。
【請求項１０】  前記検出器の出力信号Ｆnkjがｎ、ｋおよびｊの関数であり、前記縞数はｎで示され、前記インデックスｋは−１、０および＋１の値をとり、前記インデックスｊは−１および＋１の値をとり、インデックス対（ｋ，ｊ）は、前記光ファイバジャイロが動作する状態を示し、前記光ファイバジャイロの動作のゾーンは複数の状態（ｋ，ｊ）に関連し、Ｆnkjもまた、３つの制御可能なパラメータε、δおよびｌの関数であり、前記ステップ（ａ）は、
前記動作のゾーンを決定するステップと、
Ｆnkjの測定値を利用して復調信号ＤＭＯＤ４＝ΣＰkjＣ4kjＦnkjの測定値を得るステップとを含み、Ｐkjは状態（ｋ，ｊ）の発生確率であり、Ｃ4kjは数字の係数であり、前記ステップ（ａ）はさらに
Ｆnkjに関する計算値を利用してｎの試験的な複数の値の各々について、復調信号ＤＭＯＤ４＝ΣＰkjＣ4kjＦnkjに関する計算値を得るステップを含む、請求項１に記載の方法。
【請求項１１】  前記ステップ（ｂ）が、
前記復調信号ＤＭＯＤ４の測定値に最も近い前記復調信号ＤＭＯＤ４の計算値に関連したｎの試験的な値を特定するステップを含み、前記特定されたｎの試験値は前記縞数であ
る、請求項１０に記載の方法。
【請求項１２】  光ファイバジャイロの縞数を決定するための装置であって、前記光ファイバジャイロは、干渉計に光ビームを給送する光源を含み、２つの光ビームは対向する方向に伝搬し、前記干渉計は検出器にその出力を給送し、前記検出器の出力信号は、前記縞数および複数の制御可能なパラメータの関数であり、前記装置は、
（ａ）  前記制御可能パラメータの値を決定するための手段と、
（ｂ）  縞可視度効果および前記制御可能パラメータの値を利用して前記検出器の出力信号から前記縞数を抽出するための手段とを含み、前記検出器の出力信号は、前記縞可視度効果のない場合、（１＋ｃｏｓθ）に比例し、θは前記２つの光ビームの位相の差であり、前記縞可視度効果は、θ２乗におけるべき級数によって乗算される式（１＋ｃｏｓθ）の中のｃｏｓθ項によって表される、装置。
【請求項１３】  前記手段（ａ）が、
前記検出器の出力信号を複数の復調信号に変換する複数の復調器と、
前記制御可能パラメータの値を調整することにより、前記複数の復調信号の各々に、予め定められた値を強制的に持たせるようにする複数の制御ループと、
前記制御可能パラメータの値を得るよう前記複数の復調信号の前記予め定められた値を利用するプロセッサとを含む、請求項１２に記載の装置。
【請求項１４】  前記手段（ｂ）が、
前記検出器の出力信号を復調信号に変換する復調器と、
前記復調信号の測定値を記憶するメモリとを含む、請求項１２に記載の装置。
【請求項１５】  前記手段（ｂ）が、
前記検出器の出力信号を復調信号に変換する復調器と、
前記制御可能パラメータの値を用いて、試験的な複数の縞数の各々について、前記復調信号の数学的表現の計算値を決定するプロセッサとを含む、請求項１２に記載の装置。
【請求項１６】  前記手段（ｂ）が、
前記検出器の出力信号を復調信号に変換する復調器と、
前記復調信号の測定値を記憶するメモリと、
前記制御可能パラメータの値を用いて、試験的な複数の縞数の各々について、前記復調信号の数学的表現の計算値を決定するプロセッサとを含む、請求項１２に記載の装置。
【請求項１７】  前記手段（ｂ）が、
前記復調信号の測定値に最も近い前記復調信号の数学的表現の計算値に関連した試験的な縞数に、前記縞数を等しくするプロセッサを含む、請求項１６に記載の装置。
【請求項１８】  前記検出器の出力信号Ｆnkjが、ｎ、ｋおよびｊの関数であり、前記縞数はｎで示され、前記インデックスｋは−１、０および＋１の値をとり、前記インデックスｊは−１および＋１の値をとり、インデックス対（ｋ，ｊ）は、前記光ファイバジャイロが動作する状態を示し、前記光ファイバジャイロの動作のゾーンは複数の状態（ｋ，ｊ）に関連し、Ｆnkjもまた、３つの制御可能なパラメータε、δおよびｌの関数であり、前記手段（ａ）は、
前記検出器の出力信号を複数の復調信号ＤＭＯＤｐに変換する複数の復調器を含み、ｐは１、２および３の値をとり、
前記手段（ａ）はさらに
前記制御可能パラメータの値を調整することにより、前記複数の復調信号ＤＭＯＤｐの各々に、予め定められた値Ａpを強制的に持たせるようにする複数の制御ループを含む、請求項１２に記載の装置。
【請求項１９】  前記検出器の出力信号Ｆnkjが、ｎ、ｋおよびｊの関数であり、前記縞数はｎで示され、前記インデックスｋは−１、０および＋１の値をとり、前記インデックスｊは−１および＋１の値をとり、インデックス対（ｋ，ｊ）は、前記光ファイバジャイロが動作する状態を示し、前記光ファイバジャイロの動作のゾーンは、複数の状態（ｋ，ｊ）に関連し、Ｆnkjもまた、３つの制御可能なパラメータε、δおよびｌの関数であり、前記手段（ａ）は、
前記動作のゾーンを決定するプロセッサと、
Ｆnkjに関する測定値を利用して、１、２および３に等しいｐについて等式ΣＰkjＣpkjＦnkj＝Ａpを解くことにより、ε、δおよびｌの値を得るプロセッサとを含み、量Ａpは予め定められた定数であり、Ｐkjは、状態（ｋ，ｊ）の発生確率であり、Ｃpkjは数字の係数であり、和は、前記光ファイバジャイロが動作するゾーンに関連した状態に対するものである、請求項１２に記載の装置。
【請求項２０】  前記検出器の出力信号Ｆnkjが、ｎ、ｋおよびｊの関数であり、前記縞数はｎで示され、前記インデックスｋは−１、０および＋１の値をとり、前記インデックスｊは−１および＋１の値をとり、インデックス対（ｋ，ｊ）は、前記光ファイバジャイロが動作する状態を示し、前記光ファイバジャイロの動作のゾーンは複数の状態（ｋ，ｊ）に関連し、Ｆnkjもまた、３つの制御可能なパラメータε、δおよびｌの関数であり、前記手段（ｂ）は、
前記検出器の出力信号を復調信号ＤＭＯＤ４に変換する復調器と、
ＤＭＯＤ４の測定値を記憶するメモリとを含む、請求項１２に記載の装置。
【請求項２１】  前記検出器の出力信号Ｆnkjは、ｎ、ｋおよびｊの関数であり、前記縞数はｎで示され、前記インデックスｋは−１、０および＋１の値をとり、前記インデックスｊは−１および＋１の値をとり、インデックス対（ｋ，ｊ）は、前記光ファイバジャイロが動作する状態を示し、前記光ファイバジャイロの動作のゾーンは、複数の状態（ｋ，ｊ）に関連し、Ｆnkjもまた、３つの制御可能なパラメータε、δおよびｌの関数であり、前記手段（ｂ）は、
前記動作のゾーンを決定するプロセッサと、
Ｆnkjの計算値を利用して、試験的な複数のｎの値の各々について、復調信号ＤＭＯＤ４＝ΣＰkjＣ4kjＦnkjの計算値を得るプロセッサとを含み、Ｐkjは、状態（ｋ，ｊ）の発生確率であり、Ｃ4kjは数字の係数である、請求項１２に記載の装置。
【請求項２２】  前記検出器の出力信号Ｆnkjが、ｎ、ｋおよびｊの関数であり、前記縞数はｎで示され、前記インデックスｋは−１、０および＋１の値をとり、前記インデックスｊは−１および＋１の値をとり、インデックス対（ｋ，ｊ）は、前記光ファイバジャイロが動作する状態を示し、前記光ファイバジャイロの動作のゾーンは複数の状態（ｋ，ｊ）に関連し、Ｆnkjもまた、３つの制御可能なパラメータε、δおよびｌの関数であり、前記手段（ａ）は、
前記検出器の出力信号を復調信号ＤＭＯＤ４に変換する復調器と、
ＤＭＯＤ４の測定値を記憶するメモリと、
前記動作のゾーンを決定するプロセッサと、
Ｆnkjの計算値を利用して、試験的な複数のｎの値の各々について、復調信号ＤＭＯＤ４＝ΣＰkjＣ4kjＦnkjの計算値を得るプロセッサとを含み、Ｐkjは状態（ｋ，ｊ）の発生確率であり、Ｃ4kjは数字の係数である、請求項１２に記載の装置。
【請求項２３】  前記手段（ｂ）が、
前記復調信号ＤＭＯＤ４の測定値に最も近い前記復調信号ＤＭＯＤ４の計算値に関連した試験的なｎの値を特定するプロセッサを含み、前記特定されたｎの試験値は前記縞数である、請求項２２に記載の装置。